(57)【要約】【課題】複合管路において、新設ケーブル３´を新設インナーパイプ２´へ引き込む際に、その新設インナーパイプ２´の先端が管路１の中から飛び出したり、管路１の中に引き込まれるのを防止するインナーパイプの保持部５、これに用いる保持具６、及び新設ケーブル３´の引き込み方法を提供することである。【解決手段】既設インナーパイプ２が敷設された管路１の中に、新設ケーブル３´を引き込むための新設インナーパイプ２´を敷設した後、前記既設インナーパイプ２と前記新設ケーブル３´を引き込むための新設インナーパイプ２´とを管路口４端において保持具６で把持した後、新設ケーブル３´を引き込むことを特徴とする。【選択図】  図１
2005130551.tif 000002
【特許請求の範囲】
【請求項１】
新設ケーブルを引き込むために管路の中に敷設された新設インナーパイプと前記管路の中の既設インナーパイプとを管路口端に於いてインナーパイプ保持具を用いて把持したことを特徴とするインナーパイプの保持部。
【請求項２】
前記既設インナーパイプは前記新設インナーパイプよりも伸び量が小さいことを特徴とする請求項１記載のインナーパイプの保持部。
【請求項３】
請求項１又は請求項２記載のインナーパイプの保持部に用いられるインナーパイプ保持具において、該インナーパイプ保持具は前記新設インナーパイプと前記既設インナーパイプの双方を把持する把持部を備えていることを特徴とするインナーパイプ保持具。
【請求項４】
新設ケーブルの引き込み方法において、既設インナーパイプが敷設された管路の中に、新設ケーブルを引き込むための新設インナーパイプを敷設した後、前記既設インナーパイプと前記新設ケーブルを引き込むための新設インナーパイプとを管路口端において保持具で把持し、しかる後に新設ケーブルを引き込むことを特徴とする新設ケーブルの引き込み方法。
【発明の詳細な説明】
【技術分野】
【０００１】
本発明は、新設ケーブルをインナーパイプへ引き込む際に、そのインナーパイプの先端が管路口から飛び出したり、管路の中に引き込まれるのを防止するインナーパイプの保持部、これに用いる保持具、及び新設ケーブルの引き込み方法に関するものである。
【背景技術】
【０００２】
管路の中にインナーパイプを布設して複合管路を構成する工法としてサブダクト工法がある。サブダクト工法の手順について図５を参照しながら説明する（特許文献１参照）。
１）  外径が１２５〜６００ｍｍ程度の大径の管路１を地中に埋設。
２）  大径の管路１の中に、外径が２５〜１００ｍｍ程度のインナーパイプ２を１本ずつ順次引き込む。
３）  引き込まれたインナーパイプ２の中に光ケーブル、通信ケーブル、電力ケーブルといったケーブル３を引き込む。
【０００３】
この種の複合管路では、大径の管路１としては一般に合成樹脂製又はコンクリート製の断面円形の管が用いられ、インナーパイプ２は、管路１の中に引き込まれて管路口４から導出した長尺体をいい、例えば波付きプラスチック管、ストレートのプラスチック管、電力ケーブル、光ケーブル等が用いられる。
【０００４】
図５の複合管路において、通信容量の増加に対応させるために新設ケーブルを新たに管路１の中へ引き込む場合には、既に敷設された既設インナーパイプ２以外の新設インナーパイプ２´を管路１の残りの空間に敷設して、新設インナーパイプ２´の中に新設ケーブル３´を引き込まなければならない。
【０００５】
新設インナーパイプ２´を敷設後、新設ケーブル３´を新設インナーパイプ２´に引き込む際は、新設インナーパイプ２´の内面と新設ケーブル３´の間に大きな摩擦力が生ずるので、新設インナーパイプ２´が管路１の中で移動したり、新設インナーパイプ２´自身が伸びたりすることで、その先端が管路口４から大きく飛び出したり、管路１の中に引き込まれやすい。そのため、新設ケーブル３´を新設インナーパイプ２´に引き込む際には、新設インナーパイプ２´が移動したり、伸びたりしないように、新設インナーパイプ２´をしっかり保持しなければならない。
【０００６】
そのために、特許文献２に記載されているように、管路口４の周囲に沿って管路口４に固定される環状板と、この環状板の取付け部に取り付けられてインナーパイプを保持するためのパイプホルダとを備えたインナーパイプの固定具がある。パイプホルダによって、新設インナーパイプ２´も保持されるようになる。
【０００７】
その他原始的な方法として、管路口４で先端の一部が管路口４から導出している新設インナーパイプ２´の外周を紐の一端に縛り付け、その紐の他端をマンホール内の壁面等の固定部に結わえ付けて、新設インナーパイプ２´を保持するものがある。
【０００８】
【特許文献１】特開平１１−６９５８７号公報
【特許文献２】特開２００１−２１８３４７号公報
【発明の開示】
【発明が解決しようとする課題】
【０００９】
特許文献２に記載されたようなインナーパイプ固定具は、パイプホルダを取り付けるための環状板が別途必要である。さらに、環状板は管路口３に固定しておく必要があるため、もともと環状板がない旧態の複合管路の場合では、新設インナーパイプ２´を敷設するのが困難であるという第一の課題がある。また、管路口４で先端の一部が管路口４から導出している新設インナーパイプ２´の外周を紐の一端に縛り付け、その紐の他端をマンホール内の壁面等の固定部に結わえ付ける方法はあくまでも一時的な方法に過ぎない。また、縛り付ける紐もずれが生ずるおそれがあり、さらに、都合の良い固定部を設けることができる壁面があるとは限らないという第二の課題がある。
【００１０】
そこで本発明の目的は、かかる課題を解決し、新設ケーブルをインナーパイプへ引き込む際に、そのインナーパイプの先端が管路口から大きく飛び出したり、管路の中に引き込まれるのを防止するインナーパイプの保持部、これに用いる保持具、及び新設ケーブルの引き込み方法を提供することである。
【課題を解決するための手段】
【００１１】
本発明は、請求項１、請求項２、請求項３及び請求項４の発明からなる。
請求項１に係るインナーパイプの保持部は、新設ケーブルを引き込むために管路の中に敷設された新設インナーパイプと前記管路の中の既設インナーパイプとを管路口端に於いてインナーパイプ保持具を用いて把持したことを特徴とする。
【００１２】
請求項２に係るインナーパイプの保持部は、請求項１記載のインナーパイプ保持部において、前記既設インナーパイプは前記新設インナーパイプよりも伸び量が小さいことを特徴とする。
【００１３】
請求項３に係る請求項１又は請求項２記載のインナーパイプの保持部に用いられるインナーパイプの保持具は、前記新設インナーパイプと前記既設インナーパイプの双方を把持する把持部を備えていることを特徴とする。
【００１４】
請求項４に係る新設ケーブルの引き込み方法は、既設インナーパイプが敷設された管路の中に、新設ケーブルを引き込むための新設インナーパイプを敷設した後、前記既設インナーパイプと前記新設ケーブルを引き込むための新設インナーパイプとを管路口端において保持具で把持し、しかる後に新設ケーブルを引き込むことを特徴とする。
【発明の効果】
【００１５】
請求項１に係るインナーパイプの保持部は、新設インナーパイプと既設インナーパイプとがインナーパイプ保持具を用いて把持されているので、新設ケーブルを引き込む際に新設インナーパイプに加わる力が分散され、新設インナーパイプの先端が管路口から大きく飛び出したり、管路の中に引き込まれるのを防止することができる。
【００１６】
請求項２に係るインナーパイプの保持部では、既設インナーパイプは新設インナーパイプよりも伸び量が小さいので、既設インナーパイプは動かないものであると同一視できる。そのため、既設インナーパイプと一緒に把持されている新設インナーパイプは移動することがないので、新設インナーパイプの先端が管路口から大きく飛び出したり、管路の中に引き込まれるのを防止することができる。
【００１７】
請求項３に係るインナーパイプの保持具は、上記インナーパイプの保持部で利用することができる既設インナーパイプと新設インナーパイプの双方を把持する把持部を備えているので、新設インナーパイプの先端が管路口から大きく飛び出したり、管路の中に引き込まれるのを防止することができる。
【００１８】
請求項４に係る新設ケーブルの引き込み方法では、新設インナーパイプと既設インナーパイプとがインナーパイプ保持具を用いて把持される手段を用いているので、新設ケーブルを引き込む際にインナーパイプに加わる力が分散され、新設インナーパイプの先端が管路口から大きく飛び出したり、管路の中に引き込まれるのを防止することができる。
【００１９】
以上の発明において、作業は保持具を利用して管路口端において実施するので、前述した第一の課題も解決され、また、作業も簡単となる。さらに、当然のことながら、保持具を用いて作業することになるので、前述した第二の課題も解決される。
【発明を実施するための最良の形態】
【００２０】
本発明においてインナーパイプを保持するための手段は以下の考え方に基づいている。これについて図１を参照しながら説明する。
本発明は、管路１の中にインナーパイプ２（２´）が敷設される複合管路に適用される。複合管路の管路口４では、図１のように管路１の中に敷設された２本の既設インナーパイプ２があり、それらの先端の一部が、管路口４から導出している。
【００２１】
この複合管路において、本発明は、新設インナーパイプ２´を管路１の残りの空間に敷設した後、そこに新設ケーブル３´を引き込む際に、新設インナーパイプ２´の先端が管路口４から大きく飛び出したり、管路１の中に引き込まれるのを防止するために、保持具６を利用して新設インナーパイプ２´を既設インナーパイプ２に引きとめる。すなわち、保持部５を設けて、既設インナーパイプ２と新設インナーパイプ２´とを管路口４端において保持具で把持し、しかる後に新設ケーブルを引き込む手段（方法）が提供される。
【００２２】
保持部５は、保持具６によって新設ケーブル３´を引き込むための新設インナーパイプ２´と既設インナーパイプ２の双方の外周が管路口４端において把持することによって構成される。ここで、既設インナーパイプ２と新設インナーパイプ２´が保持具６によって共に把持されているため、新設ケーブル３´の引き込みに伴って新設インナーパイプ２´が管路１の中で移動しようとする力は、既設インナーパイプ２にも及ぶので、力が分散され、新設インナーパイプ２´は移動し難くなる。
【００２３】
特に、既設インナーパイプ２が管路１と同様に動かないものであると同一視できる場合には、保持具６によって既設インナーパイプ２と一緒に把持されている新設インナーパイプ２´も移動することはなく、その新設インナーパイプ２´の先端が管路口から大きく飛び出したり、管路１の中に引き込まれるのを防止することができる。
【００２４】
例えば、既設インナーパイプ２が新設インナーパイプ２´と比較して太い場合を考える。この場合は、既設インナーパイプ２が管路１方向へ移動しようとする抵抗が新設インナーパイプ２´と比較して大きくなるので、既設インナーパイプ２は管路１と同様に動かないものであると同一視できる。そのため、新設ケーブル３´の引き込みを行なっても新設インナーパイプ２´が管路１方向に移動しにくくなる。
【００２５】
また、既設インナーパイプ２が波付きプラスチック管、ストレートのプラスチック管といった中空の管ではなく、電力ケーブル、光ケーブル等といった中実の管である場合を考える。
このような場合でも、既設インナーパイプ２が管路１方向へ移動しようとする抵抗が新設インナーパイプ２´と比較して大きくなるので、既設インナーパイプ２は管路１と同様に動かないものであると同一視でき、新設インナーパイプ２´が管路１方向に移動しにくくなる。
【００２６】
さらに、既設インナーパイプ２の管路１方向の伸び量が新設インナーパイプ２´のそれよりも小さい場合にも、既設インナーパイプ２の移動量は新設インナーパイプ２´の移動量と比較して小さくなるので、既設インナーパイプ２は管路１と同様に動かないものであると同一視できる。
【００２７】
このように、保持部５において、既設インナーパイプ２と新設するケーブル３´を引き込むための新設インナーパイプ２´の双方の外周を保持具６を用いて管路口４端において把持すると、新設インナーパイプ２´の先端が管路口４から大きく飛び出したり、管路１の中に引き込まれるのを防止することができる。また、管路１については何ら工事を行なう必要も無く、また、作業は管路口４にて実施できるので、その作業が楽になる。
【００２８】
ここで、保持具６は、インナーパイプ２（２´）の双方の外周を管路口４端において把持する働きをする。
保持具６の形態について、図２を参照しながら説明する。保持具６は２つに分割された部材片７，８からなっているものを基本としている。部材片７，８は、インナーパイプ２（２´）の外周を把持するために、インナーパイプ２（２´）の外周が囲われる程度の把持部９，１０を有している。なお、１１は鍔部である。
【００２９】
インナーパイプ２（２´）の外周の把持は、図２のように、各部材片７，８の把持部９，１０でもって、インナーパイプ２（２´）の外周に引っ掛けて、部材片７，８同士を連結する（図２（ａ）の点線部が連結部である）ことにより行なうことができる。
【００３０】
ここで、インナーパイプ２（２´）が波付管でない場合には、その外周をしっかり把持できない場合もある。このような場合には、図３（ａ）のような把持金具１２を利用する。把持金具１２でもって、インナーパイプ２（２´）の外周を囲み、例えば、ネジを締めることにより、インナーパイプ２（２´）の外周をしっかり把持できるようになる。
【００３１】
なお、インナーパイプ２（２´）の外周を把持した把持金具１２は、保持具６よりも手前側に配置するか（図３（ｂ））、保持具６を挟みこむような配置にする（図３（ｃ））。このようにすることにより、インナーパイプ２（２´）が管路１方向に前後に移動しようとしても把持金具１２が保持具６の保持片７，８に引っかかる。これにより、新設インナーパイプ２´と既設インナーパイプ２とが常に保持具６により把持される状態を保つことができる。
【００３２】
さらに、既設インナーパイプ２は波付管ではないが、新設インナーパイプ２´が波付管の場合には、図４（ａ）に示したように、保持金具１２と保持片７（８）とが一体になった保持具６を用いてもよい。なお、図４（ａ）のものでは、保持金具１２と保持具６の保持片７（８）とが一体となっているが、保持金具１２が保持具６に連結できるような着脱式となっていても良い。
【００３３】
なお、保持具６の把持部９，１０の鍔部１１の両側の長さを、管路口４の径よりも長くするようにすると、図１のように保持具６は、管路口４端で引っかかることになる。これにより、インナーパイプ２（２´）が管路１の中へ引き込まれるのを効果的に防ぐことができるようになる。
【図面の簡単な説明】
【００３４】
【図１】本発明に係るインナーパイプの保持部、インナーパイプ、管路とともに示した図である。（ａ）は管路口からみた正面図であり、（ｂ）は管路の長手方向に渡る平面図である。
【図２】本発明に係るインナーパイプの保持具の一例を示したものである。（ａ）は平面図、（ｂ）は（ａ）のＡ−Ａ´における断面図である。
【図３】本発明に係るインナーパイプの保持具の保持金具の一例を示したものである。（ａ）は平面図、（ｂ）は（ａ）のＡ−Ａ´における断面図のその１つであり、（ｃ）は（ａ）のＡ−Ａ´における断面図の別の１つである。
【図４】本発明に係るインナーパイプの保持具で、保持金具の保持片と一体となったものを示したものである。（ａ）は平面図、（ｂ）は（ａ）のＡ−Ａ´における断面図である。
【図５】複合管路について示した図である。（ａ）は管路口からみた正面図であり、（ｂ）は管路の長手方向に渡る平面図である。
【符号の説明】
【００３５】
１    管路
２    （既設）インナーパイプ
２´  （新設）インナーパイプ
３    ケーブル
３´  （新設の）ケーブル
４    管路口
５    保持部
６    保持具
７    部材片
８    部材片
９    把持部
１０  把持部
１１  鍔部
１２  把持金具
【図１】
2005130551.tif 000003
【図２】
2005130551.tif 000004
【図３】
2005130551.tif 000005
【図４】
2005130551.tif 000006
【図５】
2005130551.tif 000007